(57)【要約】      （修正有）【課題】吹き流しに複数のＬＥＤを設けてイルミネーション効果を図り、それらの重量によりくす玉が変形したり壊れたりすることがない吊り下げ装飾体を提供する。【解決手段】吊り下げ装飾体１は、上部のくす玉１０と下部の吹き流し２０とを含み、飾り付け場所に吊り下げられるものである。吊り下げ装飾体１は、飾り付け場所に上端部が接続される支柱２を備え、くす玉１０を上下に貫通した支柱２に対してくす玉１０が止着され、支柱２の下端部に筒状のシート２１を有する吹き流し２０が吊り下げられ、リード線で結線された複数のＬＥＤ３０，３５が吹き流し２０に設けられ、くす玉１０、吹き流し２０及びＬＥＤ３０，３５の重量を支柱２が受けるようになっている。【選択図】図１
0003206671.tif 000002
【実用新案登録請求の範囲】
【請求項１】
上部のくす玉と下部の吹き流しとを含み、飾り付け場所に吊り下げられる吊り下げ装飾体において、
飾り付け場所に上端部が接続される支柱（２）を備え、くす玉（１０）を上下に貫通した支柱（２）に対してくす玉（１０）が止着され、支柱（２）の下端部に筒状のシート（２１）を有する吹き流し（２０）が吊り下げられ、リード線で結線された複数のＬＥＤ（３０，３５）が吹き流し（２０）に設けられ、くす玉（１０）、吹き流し（２０）及びＬＥＤ（３０，３５）の重量を支柱（２）が受けるようにしたことを特徴とする吊り下げ装飾体。
【請求項２】
支柱（２）は、寸切りボルト（３）と、寸切りボルト（３）の上端に螺着された上側アイナット（４）と、寸切りボルト（３）の下端に螺着された下側アイナット（５）とを含む請求項１記載の吊り下げ装飾体。
【請求項３】
吹き流し（２０）は筒状のシート（２１）の上端部を結束する支持リング（２５）を含み、支持リング（２５）は支柱（２）の下端部にワイヤ（２８）で吊り下げられた請求項１又は２記載の吊り下げ装飾体。
【請求項４】
シート（２１）の少なくとも下部ないし中間部は複数の短冊状の帯片（２２）に切り込まれており、リード線で結線された複数のＬＥＤ（３０）は帯片（２２）に取り付けられた請求項１、２又は３記載の吊り下げ装飾体。
【請求項５】
シート（２１）は透光性のシートであり、リード線で結線された複数のＬＥＤ（３５）は筒状のシート（２１）の内側に設けられた請求項１、２又は３記載の吊り下げ装飾体。
【考案の詳細な説明】
【技術分野】
【０００１】
本考案は、アーケード、街路、広場、イベント会場等の飾り付け場所に、装飾目的で吊り下げられる吊り下げ装飾体に関するものである。
【背景技術】
【０００２】
七夕飾りなどとして好適な吊り下げ装飾体として、上部のくす玉と下部の吹き流しとからなるものがある。吹き流しは、長いものでは２ｍ以上に及ぶが、主に樹脂フィルムで作製されているので軽量である。よって、くす玉が吹き流しの重量を受けても変形したり壊れたり心配はないので、構造の簡略化のため、くす玉の下端部に吹き流しを吊り下げている。
【０００３】
また、近年は、電力効率の良いＬＥＤ（発光ダイオード）を装飾体に設けることが増えてきた。例えば特許文献１には、装飾用のＬＥＤライトワイヤが開示されている。
【先行技術文献】
【特許文献】
【０００４】
【特許文献１】特開２０１３−１５３２２４号公報
【考案の概要】
【考案が解決しようとする課題】
【０００５】
本考案者は、上部のくす玉と下部の吹き流しとを含む吊り下げ装飾体に、リード線で結線された複数のＬＥＤを設けることを検討したところ、吹き流しに設けるＬＥＤの数が多くなると、上述した従来の吊り下げ装飾体の構造では、吹き流しとＬＥＤの重量によってくす玉が変形したり壊れたりする問題があった。
【０００６】
そこで、本考案の目的は、吹き流しに複数のＬＥＤを設けてイルミネーション効果を図ることができ、それらの重量によりくす玉が変形したり壊れたりすることがなく、重量に耐え得る吊り下げ装飾体を提供することにある。
【課題を解決するための手段】
【０００７】
本考案は、上部のくす玉と下部の吹き流しとを含み、飾り付け場所に吊り下げられる吊り下げ装飾体において、
飾り付け場所に上端部が接続される支柱を備え、くす玉を上下に貫通した支柱に対してくす玉が止着され、支柱の下端部に筒状のシートを有する吹き流しが吊り下げられ、リード線で結線された複数のＬＥＤが吹き流しに設けられ、くす玉、吹き流し及びＬＥＤの重量を支柱が受けるようにしたことを特徴とする。
【０００８】
支柱は、寸切りボルトと、寸切りボルトの上端に螺着された上側アイナットと、寸切りボルトの下端に螺着された下側アイナットとを含む態様を例示できる。この態様は、最も簡単に支柱を構成できる。
【０００９】
吹き流しは筒状のシートの上端部を結束する支持リングを含み、支持リングは支柱の下端部にワイヤで吊り下げられた態様を例示できる。この態様は、シートの筒状を保持できる。
【００１０】
シートの少なくとも下部ないし中間部は複数の短冊状の帯片に切り込まれており、リード線で結線された複数のＬＥＤは帯片に取り付けられた態様を例示できる。この態様は、吹き流しをシャープな印象のイルミネーションとすることができるとともに、ＬＥＤが帯片と共に風でたなびく。
【００１１】
シートは透光性であり、リード線で結線された複数のＬＥＤは筒状のシートの内側に設けられた態様を例示できる。この態様は、吹き流しを内照式の柔らかな印象のイルミネーションとすることができる。
【考案の効果】
【００１２】
本考案の吊り下げ装飾体によれば、吹き流しに複数のＬＥＤを設けてイルミネーション効果を図ることができ、それらの重量によりくす玉が変形したり壊れたりすることがなく、重量に耐え得るという優れた効果を奏する。
【図面の簡単な説明】
【００１３】
【図１】実施例の吊り下げ装飾体の斜視図である。
【図２】同吊り下げ装飾体の支柱の正面図である。
【図３】同吊り下げ装飾体の（ａ）は上部における支柱とくす玉と吹き流しの支持リングとを示す斜視図、（ｂ）は下部における吹き流しのシートとＬＥＤを示す斜視図である。
【図４】平らに展開した同シートの正面図である。
【図５】平らに展開した同シートにリード線で結線された複数のＬＥＤを取り付けたときの正面図である。
【考案を実施するための形態】
【００１４】
上に例示した態様のほか、次の態様を例示できる。
１．支柱
支柱は、鋼棒と、鋼棒の上端に切ったねじ孔に螺着された上側アイボルトと、鋼棒の下端に切ったねじ孔に螺着された下側アイボルトとを含む態様も例示できる。その他、鋼棒の上端部及び下端部をリング状に湾曲させて溶接した態様も例示できる。
【００１５】
２．シート
シートの材料は、特に限定されないが、樹脂シート、繊維シート等を例示できる。樹脂シートとしては、透光性のフレキシブルフェイスシート（ＦＦシート）、ターポリンシート等を例示できる。繊維シートとしては、織布シート、不織布シート等を例示できる。
【００１６】
３．リード線で結線された複数のＬＥＤ
リード線で結線された複数のＬＥＤの構成は、特に限定されないが、リード線からＬＥＤが突出したものや、リード線とＬＥＤが透明な軟質チューブに内蔵されたもの等を例示できる。リード線も、特に限定されず、コード、プリント配線等を例示できる。
【実施例】
【００１７】
以下、本発明を具体化した実施例について説明する。なお、実施例で記す材料、構成、数値は例示であって、適宜変更できる。
【００１８】
図１〜図５に示す実施例の吊り下げ装飾体１は、上部のくす玉１０と下部の吹き流し２０とを含み、アーケード、街路、広場、イベント会場等の飾り付け場所に吊り下げられ、七夕飾りなどとして好適なものである。
【００１９】
吊り下げ装飾体１は、飾り付け場所に上端部が接続される支柱２を備え、くす玉１０を上下に貫通した支柱２に対してくす玉１０が止着され、支柱２の下端部に筒状のシート２１を有する吹き流し２０が吊り下げられ、リード線で結線された複数のＬＥＤ３０，３５が吹き流し２０に設けられ、くす玉１０、吹き流し２０及びＬＥＤ３０，３５の重量を支柱２が受けるようになっている。
【００２０】
支柱２は、図２に示すように、寸切りボルト３と、寸切りボルト３の上端に螺着された上側のアイナット４と、寸切りボルト３の下端に螺着された下側のアイナット５とを含み構成され、いずれも鋼製である。さらに、寸切りボルト３と各アイナット４，５は、緩みを防止するため、サブナット６によりワッシャ７及びバネワッシャ８を介して締め付けられている。寸切りボルト３は次のくす玉１０の直径よりも若干長く、各アイナット４，５はくす玉１０の外に出る。
【００２１】
くす玉１０は、例えば被覆付番線（鋼線）を湾曲させ格子状に組んで溶接することにより球殻状に形成されたものである。くす玉１０には、花飾りなどを適宜取り付けることができる。支柱２は、くす玉１０をその格子の開目を通るようにして上下に貫通しており、くす玉１０の上部及び下部はそれぞれ、例えば結束バンド１１により支柱２の寸切りボルト３に止着されている。くす玉１０の直径は例えば４００〜８００ｍｍである。
【００２２】
吹き流し２０は、筒状のシート２１と、筒状のシート２１の上端部を結束する支持リング２５とを含み構成されている。支持リング２５は、例えば被覆付番線よりなる相対的に大径の外リング２６と小径の内リング２７とを連結してなる二重リングであり、例えば外リング２６にはシート２１を結束し、内リング２７は支柱２の下側のアイナット５に複数のワイヤ２８で吊り下げる、といった使い分けがされているる。外リング２６の直径は例えば４００〜８００ｍｍであり、内リング２７の直径は外リング２６の直径よりも例えば５０〜２００ｍｍ小さい。
【００２３】
シート２１は、透光性の例えばフレキシブルフェイスシート（ＦＦシート）であり、図４に展開状態を示すように、下部ないし中間部は複数（図示例では１０枚）の短冊状の帯片２２に切り込まれている。各帯片２２には複数のハトメ２３が取り付けられている。また、シート２１の上縁付近にも複数のハトメ２４が取り付けられ、このハトメ２４に通した紐などで支持リング２５に結束されるようになっている。シート２１の長さ（高さ）は、例えば１５００〜４０００ｍｍである。シート２１の幅は、支持リング２５（上記の使い分けでは外リング２６）の直径に対応したものであり、シート２１を筒状にして支持リング２５に結束される。
【００２４】
ＬＥＤ３０，３５は、次の２種類が設けられている。
第１の結線ＬＥＤ３０は、リード線３１で結線された複数のＬＥＤ３２であり、筒状のシート２１の帯片２２の前記ハトメ２３に例えば結束バンドにより取り付けられている。第１の結線ＬＥＤ３０の延ばし方は、任意であり、例えば図５に示すように、シート２１の上端部では内側を通し、切り込みの端から帯片２２の外側に出して下方へ延ばす態様や、さらに帯片２２の下部から上方へ折り返したりする態様を例示できる。また、第１の結線ＬＥＤ３０は、全部の帯片２２に取り付けてよいし、一部の帯片２２に取り付けてもよい。第１の結線ＬＥＤ３０はコントローラ３３を介して飾り付け場所の電源に接続される。
第２の結線ＬＥＤ３５は、リード線３６で結線された複数のＬＥＤ３７であり、支持リング２５（内リング２７）から筒状のシート２１の内側（中心部）に垂れ下がるように設けられている。第２の結線ＬＥＤ３５もコントローラ（図示略）を介して飾り付け場所の電源に接続される。
【００２５】
以上説明した実施例の吊り下げ装飾体１によれば、次の作用効果が得られる。
（ア）吹き流し２０に複数のＬＥＤ３０，３５を設けてイルミネーション効果を図ることができる。第１の結線ＬＥＤ３０は、吹き流し２０をシャープな印象のイルミネーションとすることができるとともに、ＬＥＤが帯片２２と共に風でたなびく。第２の結線ＬＥＤ３５は、吹き流し２０を内照式の柔らかな印象のイルミネーションとすることができる。
（イ）吹き流し２０、第１の結線ＬＥＤ３０及び第２の結線ＬＥＤ３５の重量を支柱２が受けるので、同重量によりくす玉１０が変形したり壊れたりすることがなく、重量に耐え得る。
【００２６】
なお、本考案は前記実施例に限定されるものではなく、考案の趣旨から逸脱しない範囲で適宜変更して具体化することができる。
【符号の説明】
【００２７】
１    吊り下げ装飾体
２    支柱
３    寸切りボルト
４    上側のアイナット
５    下側のアイナット
６    サブナット
７    ワッシャ
８    バネワッシャ
１０    くす玉
１１    結束バンド
２１    シート
２２    帯片
２３    ハトメ
２４    ハトメ
２５    支持リング
２６    外リング
２７    内リング
２８    ワイヤ
３０    第１の結線ＬＥＤ
３１    リード線
３２    ＬＥＤ
３３    コントローラ
３５    第２の結線ＬＥＤ
３６    リード線
３７    ＬＥＤ
【図１】
0003206671.tif 000003
【図２】
0003206671.tif 000004
【図３】
0003206671.tif 000005
【図４】
0003206671.tif 000006
【図５】
0003206671.tif 000007